(57)【要約】【課題】ユーザが発信したい情報をアクセサリに記憶し、他ユーザに当該情報を提供できるシステム又は方法を提供すること。【解決手段】情報伝達システム１は、ユーザからの情報の入力を受け付ける入力受付部１１１と、受け付けた情報を記憶するアクセサリ側記憶部１２と、前記記憶手段に記憶した情報を発信するアクセサリ側通信部１５と、を有する情報アクセサリ１０と、被写体を表示する端末側表示部３４と、情報アクセサリ１０が端末側表示部３４に被写体として表示される方向に位置した場合に、情報アクセサリ１０と情報の送受信を行う端末側通信部３５と、端末側通信部３５により情報を受信したことに応じて、端末側表示部３４に表示された被写体に対して受信した情報を合成して表示させる画像合成部３１４と、を有する携帯端末３０と、を備える。【選択図】図１
2010257239.tif 000002
【特許請求の範囲】
【請求項１】
情報を記憶する情報アクセサリと、該情報アクセサリが記憶する情報を読み取り可能な携帯端末と、を備えた情報伝達システムであって、
前記情報アクセサリは、
ユーザからの情報の入力を受け付ける入力受付手段と、
受け付けた前記情報を記憶する記憶手段と、
前記記憶手段に記憶した情報を無線で発信する情報発信手段と、
を備え、
前記携帯端末は、
被写体を表示する表示手段と、
前記情報アクセサリが前記表示手段に対して前記被写体として表示される方向に位置した場合に、該情報アクセサリと情報の送受信を行う指向性通信手段と、
前記指向性通信手段により情報を受信したことに応じて、前記表示手段に表示された前記被写体に対して前記受信した情報を合成して表示させる画像合成手段と、
を備えることを特徴とする情報伝達システム。
【請求項２】
前記指向性通信手段は、前記携帯端末のユーザを特定するユーザ情報を送信し、
前記情報アクセサリは、
前記携帯端末のユーザに対して開示する情報の範囲を設定する開示範囲設定手段と、
前記ユーザ情報を受信する情報受信手段と、
前記ユーザ情報を受信したことに応じて、前記携帯端末のユーザに開示可能な情報を決定する開示情報決定手段と、
を備え、
前記情報発信手段は、前記開示情報決定手段により決定された情報を発信することを特徴とする請求項１に記載の情報伝達システム。
【請求項３】
前記指向性通信手段は、ミリ波を用いた通信を行うことを特徴とする請求項１又は２に記載の情報伝達システム。
【請求項４】
情報を記憶する情報アクセサリと、該情報アクセサリが記憶する情報を読み取り可能な携帯端末と、を備えた情報伝達方法であって、
前記情報アクセサリは、
ユーザからの情報の入力を受け付けるステップと、
受け付けた前記情報を記憶するステップと、
前記記憶するステップで記憶した情報を無線で発信するステップと、
を備え、
前記携帯端末は、
被写体を撮影するステップと、
前記被写体を表示するステップと、
前記情報アクセサリが前記表示するステップで前記被写体として表示される方向に位置した場合に、該情報アクセサリと情報の送受信を行うステップと、
前記送受信を行うステップにより情報を受信したことに応じて、前記表示するステップで表示された前記被写体に対して前記受信した情報を合成して表示させるステップと、
を備えることを特徴とする情報伝達方法。
【請求項５】
ユーザが発信したい情報を記憶、かつ、読み取り可能な携帯端末であって、
ユーザからの情報の入力を受け付ける入力受付手段と、
受け付けた前記情報を記憶する記憶手段と、
前記記憶手段に記憶した情報を無線で発信する情報発信手段と、
被写体を表示する表示手段と、
他の携帯端末が前記表示手段に対して前記被写体として表示される方向に位置した場合に、該他の携帯端末と情報の送受信を行う指向性通信手段と、
前記指向性通信手段により情報を受信したことに応じて、前記表示手段に表示された前記被写体に対して前記受信した情報を合成して表示させる画像合成手段と、
を備えることを特徴とする携帯端末。
【発明の詳細な説明】
【技術分野】
【０００１】
本発明は、情報伝達システムおよび方法に関する。特に情報アクセサリを介して他ユーザに情報を伝達可能な情報伝達システムおよび方法に関する。
【背景技術】
【０００２】
従来、２次元コードを読み取り可能なカメラ付き携帯端末などに取り付けるアクセサリであって、２次元コードが付されているものが知られている（例えば、特許文献１参照）。このアクセサリに付された２次元コードは、所定のコンテンツにアクセス可能なＵＲＬ（Ｕｎｉｆｏｒｍ  Ｒｅｓｏｕｒｃｅ  Ｌｏｃａｔｏｒ）アドレスなどのデータをコード化したものである。
したがって、このカメラ付き携帯端末は、アクセサリに付された２次元コードを読み取ることで、所定のコンテンツにアクセスできる。
【先行技術文献】
【特許文献】
【０００３】
【特許文献１】特開２００６−３３０９０７号公報
【発明の概要】
【発明が解決しようとする課題】
【０００４】
しかしながら、上述のアクセサリに付された２次元コードは、所定のＵＲＬをコード化したに過ぎないため、このアクセサリでは、アクセサリの販売者が予め設定した所定のＵＲＬ以外の情報にアクセスすることができない。
【０００５】
また、ユーザが２次元コードとしてのアクセサリの情報を直接変更することができないので、アクセサリの２次元コードを他ユーザのカメラ付き携帯端末に読み取らせて情報を提供しようとしても、ユーザの伝えたい情報などを設定することはできない。最近では、若者を中心に身近な情報を、他人に発信したり、伝えたりしたいという要求を持つものもおり、上述のアクセサリではこのようなユーザの発信したい情報を提供できないといった問題もある。
【０００６】
本発明は、ユーザが発信したい情報をアクセサリに記憶し、他ユーザに当該情報を提供できるシステム又は方法を提供することを目的とする。
【課題を解決するための手段】
【０００７】
本発明の情報伝達システムは、情報を記憶する情報アクセサリと、該情報アクセサリが記憶する情報を読み取り可能な携帯端末と、を備えた情報伝達システムであって、前記情報アクセサリは、ユーザからの情報の入力を受け付ける入力受付手段と、受け付けた前記情報を記憶する記憶手段と、前記記憶手段に記憶した情報を無線で発信する情報発信手段と、を備え、前記携帯端末は、被写体を表示する表示手段と、前記情報アクセサリが前記表示手段に対して前記被写体として表示される方向に位置した場合に、該情報アクセサリと情報の送受信を行う指向性通信手段と、前記指向性通信手段により情報を受信したことに応じて、前記表示手段に表示された前記被写体に対して前記受信した情報を合成して表示させる画像合成手段と、を備えることを特徴とする。
【０００８】
この発明によれば、入力受付手段により、情報アクセサリに対してユーザからの情報の入力を受け付け、指向性通信手段により、情報アクセサリが表示手段に被写体として表示される方向に位置した場合に、該情報アクセサリと情報の送受信を行い、画像合成手段により、指向性通信手段により情報を受信したことに応じて、表示手段に表示された被写体に対して受信した情報を合成して表示させた。
【０００９】
情報アクセサリは、ユーザが身につけるものであるから、表示手段には情報アクセサリとともに、当該情報アクセサリを身につけたユーザも表示される。
これにより、表示手段に情報アクセサリを身につけたユーザが被写体として表示されている場合に、当該ユーザに対して情報アクセサリに記憶されている情報、すなわち、ユーザが入力可能な情報が合成されて表示される。
よって、ユーザが情報アクセサリに記憶される情報を直接変更し、他ユーザとしての携帯端末のユーザに、情報アクセサリに記憶される情報を提供できる。
【００１０】
この場合、前記指向性通信手段は、前記携帯端末のユーザを特定するユーザ情報を送信し、前記情報アクセサリは、前記携帯端末のユーザに対して開示する情報の範囲を設定する開示範囲設定手段と、前記ユーザ情報を受信する情報受信手段と、前記ユーザ情報を受信したことに応じて、前記携帯端末のユーザに開示可能な情報を決定する開示情報決定手段と、を備え、前記情報発信手段は、前記開示情報決定手段により決定された情報を発信することが好ましい。
【００１１】
この発明によれば、開示範囲設定手段により、携帯端末のユーザに対して開示する情報の範囲を設定し、開示情報決定手段により、開示範囲設定手段に基づいて携帯端末のユーザに開示可能な情報を決定することとしたので、情報アクセサリのユーザは、開示範囲設定手段により、携帯端末のユーザに対して開示する情報の範囲を設定できる。
【００１２】
この場合、前記指向性通信手段は、ミリ波を用いた通信を行うことが好ましい。
【００１３】
ミリ波とは、周波数が３０ＧＨｚから３００ＧＨｚ程度の電波であり、一方向に対して伝播する性質を持ち、指向性を有する。
したがって、この発明によれば、携帯端末は、ミリ波で通信を行うことで、特定方向に位置した情報アクセサリと送受信が可能となる。
【００１４】
本発明の情報伝達方法は、情報を記憶する情報アクセサリと、該情報アクセサリが記憶する情報を読み取り可能な携帯端末と、を備えた情報伝達方法であって、前記情報アクセサリは、ユーザからの情報の入力を受け付けるステップと、受け付けた前記情報を記憶するステップと、前記記憶するステップで記憶した情報を無線で発信するステップと、を備え、前記携帯端末は、被写体を撮影するステップと、前記被写体を表示するステップと、前記情報アクセサリが前記表示するステップで前記被写体として表示される方向に位置した場合に、該情報アクセサリと情報の送受信を行うステップと、前記送受信を行うステップにより情報を受信したことに応じて、前記表示するステップで表示された前記被写体に対して前記受信した情報を合成して表示させるステップと、を備えることを特徴とする。
【００１５】
この発明によれば、入力を受け付けるステップにより、情報アクセサリに対してユーザからの情報の入力を受け付け、情報の送受信を行うステップにより、情報アクセサリが表示するステップで被写体として表示される方向に位置した場合に、該情報アクセサリと情報の送受信を行い、情報を合成して表示させるステップにより、表示された被写体に対して受信した情報を合成して表示させた。
【００１６】
よって、ユーザが情報アクセサリに記憶される情報を直接変更し、他ユーザとしての携帯端末のユーザに、情報アクセサリに記憶される情報を提供できる。
【００１７】
本発明の携帯端末は、ユーザが発信したい情報を記憶、かつ、読み取り可能な携帯端末であって、ユーザからの情報の入力を受け付ける入力受付手段と、受け付けた前記情報を記憶する記憶手段と、前記記憶手段に記憶した情報を無線で発信する情報発信手段と、被写体を表示する表示手段と、他の携帯端末が前記表示手段に対して前記被写体として表示される方向に位置した場合に、該他の携帯端末と情報の送受信を行う指向性通信手段と、前記指向性通信手段により情報を受信したことに応じて、前記表示手段に表示された前記被写体に対して前記受信した情報を合成して表示させる画像合成手段と、を備えることを特徴とする。
【００１８】
この発明によれば、入力受付手段により、ユーザからの情報の入力を受け付け、指向性通信手段により、他の携帯端末が前記表示手段に対して前記被写体として表示される方向に位置した場合に、該他の携帯端末と情報の送受信を行い、画像合成手段により、表示された被写体に対して受信した情報を合成して表示させた。
【００１９】
よって、ユーザが携帯端末に記憶される情報を直接変更し、当該情報を他の携帯端末のユーザに提供できる。
【発明の効果】
【００２０】
本発明によれば、ユーザがアクセサリに記憶される情報を直接変更し、他ユーザに当該情報を提供できるシステム又は方法を提供することができる。
【図面の簡単な説明】
【００２１】
【図１】本実施形態に係る情報伝達システム１の全体構成を示す図である。
【図２】本実施形態に係る発信情報ＤＢ１２１を示す図である。
【図３】本実施形態に係る認証ＤＢ１２２を示す図である。
【図４】本実施形態に係る情報アクセサリ１０が、発信内容などの入力を受け付けてからアクセサリ側記憶部１２に記憶されるまでの処理の流れを示すフローチャートである。
【図５】本実施形態に係る情報アクセサリ１０が、接続信号を発信してから、携帯端末３０の端末側表示部３４に表示される被写体に開示情報が合成されて表示されるまでの処理の流れを示すフローチャートである。
【図６】本実施形態に係る携帯端末３０のユーザが撮影部３６により情報アクセサリ１０のユーザを撮影する状況を示す図である。
【図７】本実施形態に係る端末側表示部３４に表示される画像に情報アクセサリ１０の開示情報が合成されて表示される前の一例を示す図である。
【図８】本実施形態に係る端末側表示部３４に表示される画像に情報アクセサリ１０の開示情報が合成されて表示された後の一例を示す図である。
【図９】本実施形態に係る情報アクセサリ１０の代わりに携帯端末３０を使用した場合の情報伝達システム１の全体構成を示す図である。
【発明を実施するための形態】
【００２２】
以下、本発明の実施形態を図面に基づいて説明する。
【００２３】
図１は、本実施形態に係る情報伝達システム１の全体構成を示す図である。
【００２４】
情報伝達システム１は、情報アクセサリ１０と、情報アクセサリ１０と通信可能な携帯端末３０と、を有する。
【００２５】
［１］情報アクセサリの説明
情報アクセサリ１０は、ユーザが設定した情報を記憶するものであって、ユーザが身につけるものである。情報アクセサリ１０は、アクセサリ側制御部１１と、記憶手段としてのアクセサリ側記憶部１２と、アクセサリ側操作部１３と、アクセサリ側表示部１４と、情報発信手段および情報受信手段としてのアクセサリ側通信部１５と、各部を駆動させ、電池などにより構成される電源（図示省略）と、を有する。
【００２６】
アクセサリ側操作部１３は、ボタンなどにより構成されており、情報アクセサリ１０を操作するユーザからの入力操作を受け付ける。
アクセサリ側表示部１４は、液晶表示装置（ＬＣＤ：Ｌｉｑｕｉｄ  Ｃｒｙｓｔａｌ  Ｄｉｓｐｌａｙ）や、有機ＥＬ表示装置（Ｏｒｇａｎｉｃ  Ｅｌｅｃｔｒｏ−Ｌｕｍｉｎｅｓｃｅｎｃｅ  Ｄｉｓｐｌａｙ）などにより構成されており、ユーザがアクセサリ側操作部１３を介して入力した情報や、アクセサリ側記憶部１２に記憶されている発信用の情報を表示する。
【００２７】
なお、アクセサリ側操作部１３およびアクセサリ側表示部１４は、情報アクセサリ１０の内部に構成されていることとしたが、これに限らず、情報アクセサリ１０と通信可能に接続されるＰＣ（Ｐｅｒｓｏｎａｌ  Ｃｏｍｐｕｔｅｒ）や他の携帯端末といった、他の機器から情報を送受信させることとしてもよい。
【００２８】
アクセサリ側通信部１５は、図示は省略するがアンテナを備えており、このアンテナより受信した電気信号を復調処理し、処理後の電気信号をアクセサリ側制御部１１に供給する。また、アクセサリ側通信部１５は、アクセサリ側制御部１１から供給された電気信号を変調処理し、このアンテナから送信する。
【００２９】
アンテナが受信する電気信号の周波数帯域は、３０ＧＨｚから３００ＧＨｚ程度のものであり、ミリ波と呼ばれるものである。ミリ波は、一方向に対して伝播する性質を持ち、指向性を有する。
また、アンテナから送信される電気信号の周波数帯域は、主に３００ＭＨｚ〜３ＧＨｚ程度のもの、すなわち、ＵＨＦ（Ｕｌｔｒａ  Ｈｉｇｈ  Ｆｒｅｑｕｅｎｃｙ）帯のものであり、通信可能距離が数メートル〜数十メートルである。なお、本実施形態では、アンテナから送信される電気信号の周波数帯域は、ＵＨＦ帯のものであるとしたが、通信可能距離が数メートル〜数十メートル確保できれば、この周波数帯域に限らない。
【００３０】
アクセサリ側記憶部１２は、半導体メモリなどにより構成されており、本発明の機能を実行するプログラム（図示省略）や、発信情報データベース（以下、データベースをＤＢという。）１２１、認証ＤＢ１２２などを記憶する。
【００３１】
図２は、本実施形態に係る発信情報ＤＢ１２１を示す図である。発信情報ＤＢ１２１は、情報アクセサリ１０を所持するユーザが発信したい情報を格納するＤＢである。発信情報ＤＢ１２１は、ユーザの名称又はニックネームを示すユーザ名１２１Ａと、ユーザの血液型を示す血液型１２１Ｂと、ユーザの趣味を示す趣味１２１Ｃと、ユーザが発信したい内容を示す発信内容１２１Ｄと、緊急時に発信したメッセージを示す緊急発信内容１２１Ｅを含んでいる。
【００３２】
なお、アクセサリ側記憶部１２に記憶されるデータベース、すなわち、発信情報ＤＢ１２１は、いわゆるデータベース管理システムではなく、同じ種類の情報を集約したテーブルにより構成されるものである。
【００３３】
図３は、本実施形態に係る認証ＤＢ１２２を示す図である。認証ＤＢ１２２は、携帯端末３０のユーザを特定された場合に、当該ユーザに対する開示範囲を規定するＤＢである。認証ＤＢ１２２は、ユーザを特定するユーザ名１２２Ａと、当該ユーザに対する発信情報ＤＢ１２１に記憶されている情報の開示範囲を示す開示範囲１２２Ｂと、を含んでいる。
【００３４】
図１に戻り、アクセサリ側制御部１１は、ＣＰＵ（Ｃｅｎｔｒａｌ  Ｐｒｏｃｅｓｓｉｎｇ  Ｕｎｉｔ）やゲートアレイなどにより構成されており、情報アクセサリ１０に係る各処理動作の制御や情報の通信制御を行う。
なお、本実施形態においては、アクセサリ側制御部１１の構成として、ＣＰＵやゲートアレイを例示しているが、かかる構成はＣＰＵやゲートアレイに限定されない。
【００３５】
アクセサリ側制御部１１は、本発明に係る各機能として、入力受付手段および開示範囲設定手段としての入力受付部１１１と、アクセサリ側通信制御部１１２と、開示情報決定手段としての認証部１１３と、を有する。
【００３６】
入力受付部１１１は、情報アクセサリ１０を所持するユーザからの情報の入力を受け付ける。より具体的には、入力受付部１１１は、ユーザがアクセサリ側操作部１３に所定の操作をしたことに応じて、発信情報の入力受付画像をアクセサリ側表示部１４に表示させたり、携帯端末３０のユーザに対して開示する範囲の設定画面を表示させる。続いて、入力受付部１１１は、ユーザによるアクセサリ側操作部１３の操作を介して発信情報の入力を受け付けたことに応じて、受け付けた情報を発信情報ＤＢ１２１に記憶させる。また、入力受付部１１１は、携帯端末３０のユーザに対して開示する範囲の設定入力を受け付けたことに応じて、受け付けた情報を認証ＤＢ１２２に記憶させる。
【００３７】
アクセサリ側通信制御部１１２は、発信情報ＤＢ１２１に記憶されている情報を電気信号としてアクセサリ側通信部１５に供給し、所定範囲内に対して発信させたり、アクセサリ側通信部１５が受信して復調処理された情報を認証部１１３に供給したりする。
【００３８】
認証部１１３は、アクセサリ側通信部１５が携帯端末３０より情報を受信したことに応じて、携帯端末３０のユーザ認証を行い、携帯端末３０のユーザに応じてアクセサリ側通信部１５に送信させる情報を選択する。
【００３９】
より具体的には、認証部１１３は、接続信号をアクセサリ側通信制御部１１２に供給する。認証部１１３は、アクセサリ側通信制御部１１２が接続信号に対する応答信号としてのユーザ情報を携帯端末３０から供給されたことに応じて、このユーザ情報について認証ＤＢ１２２を参照して認証を行い、携帯端末３０のユーザを特定する。続いて認証部１１３は、認証ＤＢ１２２を参照して、特定したユーザに対する開示情報を決定する。
すなわち、認証部１１３は、携帯端末３０のユーザ情報を供給されたことに応じて、携帯端末３０のユーザを特定する。そして、認証部１１３は、このユーザへ開示する情報を決定して、この情報をアクセサリ側通信制御部１１２に供給する。
【００４０】
［２］携帯端末の説明
携帯端末３０は、例えば、携帯電話機やＰＤＡ（Ｐｅｒｓｏｎａｌ  Ｄｉｇｉｔａｌ  Ａｓｓｉｓｔａｎｔ）といったユーザが携帯可能な機器により構成される。携帯端末３０は、端末側制御部３１と、端末側記憶部３２と、端末側操作部３３と、表示手段としての端末側表示部３４と、指向性通信手段としての端末側通信部３５と、撮影部３６と、を備える。
【００４１】
端末側操作部３３は、ボタンなどにより構成されており、携帯端末３０を操作するユーザからの入力を受け付ける。
端末側表示部３４は、液晶表示装置や、有機ＥＬ表示装置などにより構成される。この端末側表示部３４は、携帯端末３０の機能に関する情報を表示したり、撮影部３６により撮影可能な被写体を表示したりする。
【００４２】
端末側記憶部３２は、半導体メモリや、１インチ以下の小型ハードディスクなどにより構成されており、本発明の機能を実行するプログラム（図示省略）や、携帯端末３０のユーザ名などを記憶する。
【００４３】
撮影部３６は、いわゆるカメラであり、被写体を撮影し、画像情報を取得するために用いられる。撮影部３６は、撮影した被写体の画像情報を撮影制御部３１１に供給する。なお、撮影部３６は、例えば、ビデオカメラでもよく、撮影した被写体の映像を撮影制御部３１１に供給してもよい。
【００４４】
端末側通信部３５は、指向性アンテナを備えており、特定の方向から発信された情報を受信したり、特定の方向に対して情報を送信して通信を行う。より具体的には、端末側通信部３５は、特定の方向、すなわち、撮影部３６により撮影される被写体が位置する方向より受信した電気信号を復調処理し、処理後の電気信号を端末側制御部３１に供給する。また、端末側通信部３５は、端末側制御部３１から供給された電気信号を変調処理し、この電気信号を特定の方向、すなわち、撮影部３６により撮影される被写体が位置する方向に対して送信する。
指向性アンテナが送受信する電気信号は、周波数帯域が３０ＧＨｚから３００ＧＨｚ程度のものであり、ミリ波と呼ばれるものである。
【００４５】
端末側制御部３１は、ＣＰＵやゲートアレイなどにより構成されており、携帯端末３０に係る各処理動作の制御や情報の通信制御を行う。
なお、本実施形態においては、端末側制御部３１の構成として、ＣＰＵやゲートアレイを例示しているが、かかる構成はＣＰＵやゲートアレイに限定されない。
【００４６】
端末側制御部３１は、本発明に係る各機能として、撮影制御部３１１と、端末側通信制御部３１２と、情報取得部３１３と、画像合成手段としての画像合成部３１４と、を備える。
【００４７】
撮影制御部３１１は、ユーザが端末側操作部３３に所定の操作をしたことに応じて、撮影部３６に被写体を撮影させる。続いて、撮影制御部３１１は、撮影部３６から供給された被写体の画像情報を端末側表示部３４に表示させる。
【００４８】
端末側通信制御部３１２は、端末側通信部３５による情報の送受信を制御する。より具体的には、端末側通信制御部３１２は、端末側通信部３５が情報アクセサリ１０から受信した接続信号を情報取得部３１３に供給する。また、端末側通信制御部３１２は、携帯端末３０のユーザ情報を情報取得部３１３より供給されたことに応じて、このユーザ情報を端末側通信部３５を介して情報アクセサリ１０に送信させる。
【００４９】
情報取得部３１３は、情報アクセサリ１０より情報を取得する。
より具体的には、情報取得部３１３は、端末側通信制御部３１２より、情報アクセサリ１０からの接続信号を供給されたことに応じて、端末側記憶部３２より、携帯端末３０のユーザ名を取得する。そして、取得したユーザ名を端末側通信制御部３１２に供給し、端末側通信部３５を介して、この携帯端末３０のユーザ名を情報アクセサリ１０に送信させる。続いて、端末側通信部３５が情報アクセサリ１０から開示情報を受信したことに応じて、情報取得部３１３は、端末側通信制御部３１２を介して、この開示情報を取得する。
【００５０】
画像合成部３１４は、撮影部３６が撮影する被写体であって、端末側表示部３４に表示されているものに対して、情報取得部３１３が取得した情報アクセサリ１０の情報を合成する。情報アクセサリ１０の情報は、端末側表示部３４の中心より下に位置するように合成される。画像合成部３１４は、合成した画像を端末側表示部３４に表示させる。
【００５１】
［３］処理フロー
図４は、本実施形態に係る情報アクセサリ１０が、発信内容などの入力を受け付けてからアクセサリ側記憶部１２に記憶されるまでの処理の流れを示すフローチャートである。
【００５２】
ステップＳ１では、アクセサリ側制御部１１（入力受付部１１１）は、ユーザがアクセサリ側操作部１３に所定の操作をしたことに応じて、入力受付画像をアクセサリ側表示部１４に表示させる。
ステップＳ２では、アクセサリ側制御部１１（入力受付部１１１）は、アクセサリ側操作部１３を介して、ユーザからの発信情報などの入力を受け付ける。
【００５３】
ステップＳ３では、アクセサリ側制御部１１（入力受付部１１１）は、ユーザがアクセサリ側操作部１３より発信情報などの入力をしたことに応じて、受け付けた発信情報などの情報を発信情報ＤＢ１２１に記憶させる。この処理を終えると、本フローチャートの処理を終了する。
【００５４】
図５は、本実施形態に係る情報アクセサリ１０が、接続信号を発信してから、携帯端末３０の端末側表示部３４に表示される被写体に開示情報が合成されて表示されるまでの処理の流れを示すフローチャートである。
【００５５】
ステップＳ１１では、アクセサリ側制御部１１（アクセサリ側通信制御部１１２）は、認証部１１３より接続信号を供給されたことに応じて、アクセサリ側通信部１５に接続信号を発信させる。
【００５６】
ステップＳ１２では、端末側制御部３１（端末側通信制御部３１２）は、端末側通信部３５を介して、接続信号を受信する。端末側制御部３１（端末側通信制御部３１２）は、受信した接続信号を情報取得部３１３に供給する。
ステップＳ１３では、端末側制御部３１（情報取得部３１３）は、端末側通信制御部３１２に、端末側記憶部３２に記憶されている携帯端末３０のユーザ名を供給する。端末側制御部３１（端末側通信制御部３１２）は、携帯端末３０のユーザ名を供給されたことに応じて、このユーザ名を端末側通信部３５を介して情報アクセサリ１０に送信する。
【００５７】
ステップＳ１４では、アクセサリ側制御部１１（アクセサリ側通信制御部１１２）は、アクセサリ側通信部１５を介してユーザ名を受信する。アクセサリ側制御部１１（アクセサリ側通信制御部１１２）は、受信したユーザ名を認証部１１３に供給する。
ステップＳ１５では、アクセサリ側制御部１１（認証部１１３）は、ユーザ名が供給されたことに応じて、認証処理を行う。認証処理では、認証ＤＢ１２２を参照して、受信したユーザ名を特定して、このユーザ名に対応する開示する情報を決定する。アクセサリ側制御部１１（認証部１１３）は、開示情報をアクセサリ側通信制御部１１２に供給する。
【００５８】
ステップＳ１６では、アクセサリ側制御部１１（アクセサリ側通信制御部１１２）は、開示情報を供給されたことに応じて、アクセサリ側通信部１５を介して、この開示情報を携帯端末３０に送信する。
【００５９】
ステップＳ１７では、端末側制御部３１（端末側通信制御部３１２）は、端末側通信部３５を介して、開示情報を受信する。端末側制御部３１（端末側通信制御部３１２）は、受信した開示情報を情報取得部３１３に受け渡す。
【００６０】
ステップＳ１８では、端末側制御部３１（情報取得部３１３）は、開示情報を画像合成部３１４に供給する。画像合成部３１４は、撮影部３６が撮影する被写体であって、端末側表示部３４に表示されているものに対して、この供給された開示情報を合成する。具体的には、開示情報を端末側表示部３４の中心より下の位置に合成する。
【００６１】
ステップＳ１９では、端末側制御部３１（画像合成部３１４）は、合成した画像を端末側表示部３４に表示させる。この処理が終了すると、本フローチャートの処理を終了する。
【００６２】
［４］表示例
続いて、図６から図８を用いて、開示情報が合成されたときの一例を説明する。
図６は、本実施形態に係る携帯端末３０のユーザが撮影部３６により情報アクセサリ１０のユーザを撮影する状況を示す図である。
【００６３】
携帯端末３０のユーザが、情報アクセサリ１０のユーザを端末側表示部３４の中心部に表示されるように撮影部３６により撮影すると、端末側通信部３５は、情報アクセサリ１０との通信が可能になる。そして、情報取得部３１３により、情報アクセサリ１０から開示情報を取得する。
【００６４】
図７は、本実施形態に係る端末側表示部３４に表示される画像に情報アクセサリ１０の開示情報が合成される前の一例を示す図である。
図７に示されるように、撮影部３６により撮影された情報アクセサリ１０および情報アクセサリ１０のユーザが端末側表示部３４の中心位置に表示されていることが確認できる。
【００６５】
図８は、本実施形態に係る端末側表示部３４に表示される画像に情報アクセサリ１０の開示情報が合成されて表示された後の一例を示す図である。
図８に示されるように、撮影部３６により撮影された情報アクセサリ１０および情報アクセサリ１０のユーザが端末側表示部３４の中心位置に表示されているとともに、開示情報３４１が端末側表示部３４の下部に表示されていることが確認できる。
【００６６】
以上の発明によれば、以下のような効果がある。
（１）情報伝達システム１では、入力受付部１１１により、情報アクセサリ１０に対してユーザからの情報の入力を受け付け、端末側通信部３５により、情報アクセサリ１０が端末側表示部３４に被写体として表示される方向に位置した場合に、情報アクセサリ１０と情報の送受信を行い、画像合成部３１４により、端末側通信部３５により情報を受信したことに応じて、端末側表示部３４に表示された被写体に対して受信した情報を合成して表示させた。
【００６７】
情報アクセサリ１０は、ユーザが身につけるものであるから、端末側表示部３４には情報アクセサリ１０とともに、情報アクセサリ１０を身につけたユーザも表示される。
これにより、端末側表示部３４に情報アクセサリ１０を身につけたユーザが被写体として表示されている場合に、当該ユーザに対して情報アクセサリ１０に記憶されている情報、すなわち、ユーザが入力可能な情報が合成されて表示される。
よって、ユーザが情報アクセサリ１０に記憶される情報を直接変更し、他ユーザとしての携帯端末３０のユーザに、情報アクセサリ１０に記憶される情報を提供できる。
【００６８】
（２）入力受付部１１１により、携帯端末３０のユーザに対して開示する情報の範囲を設定し、認証部１１３により、携帯端末３０のユーザに開示可能な情報を決定することとしたので、情報アクセサリ１０のユーザは、入力受付部１１１により、携帯端末３０のユーザに対して開示する情報の範囲を設定できる。
【００６９】
（３）周波数が３０ＧＨｚから３００ＧＨｚ程度の電波であり、一方向に対して伝播する性質を持ち、指向性を有するミリ波で通信を行うことで、携帯端末３０は、特定方向に位置した情報アクセサリ１０と送受信が可能となる。
【００７０】
以上、本発明の実施形態について説明したが、本発明は上述した実施形態に限るものではない。また、本発明の実施形態に記載された効果は、本発明から生じる最も好適な効果を列挙したに過ぎず、本発明の実施例に記載されたものに限定されるものではない。
【００７１】
例えば、情報アクセサリ１０は、ユーザがアクセサリ側操作部１３に対して所定の操作をしたことに応じて、緊急メッセージを発信するようにしてもよい。すなわち、ユーザは、予め発信情報ＤＢ１２１の緊急発信内容１２１Ｅに緊急メッセージ用の情報を記憶させておき、緊急事態となった場合、アクセサリ側操作部１３に対して所定の操作をして、緊急メッセージを発信させる。このようにすることで、緊急事態にユーザが声を出せないような状況となったとしても、携帯端末３０のユーザに対してメッセージを伝えることができる。
【００７２】
また、携帯端末３０は、画像合成部３１４により、開示情報を合成する場合、開示情報に応じて自動的に文字を修飾したり、アニメーションを合成するようにしてもよい。より具体的には、開示情報に特定の用語が含まれるか否かを検出する検出手段を設けて、当該検出手段により、開示情報に特定の用語が含まれると検出した場合に、当該用語を強調するなどの修飾を行ったり、当該用語に関するアニメーションを合成するようにしてもよい。
このようにすることで、合成される開示情報の一部が強調されたりアニメーションが追加されるので、携帯端末３０のユーザは、開示情報を認識しやすくなる。
【００７３】
また、情報アクセサリ１０が有する機能を備える携帯端末３０を複数設けるようにしてもよい。
図９は、本実施形態に係る情報アクセサリ１０の代わりに携帯端末３０を使用した場合の情報伝達システム１の全体構成を示す図である。
図９に示されるように、携帯端末３０は、端末側制御部３１に対して、情報アクセサリ１０が有する機能と同様の機能を有する入力受付部３１５と認証部３１６とを備える。また、携帯端末３０は、端末側記憶部３２に対して、情報アクセサリ１０が有するＤＢと同様の構成を有する発信情報ＤＢ３２１と認証ＤＢ３２２とを備える。このようにすることで、携帯端末３０に対して、ユーザが発信したい情報を記憶させて、他の携帯端末３０のユーザに当該情報を提供させることができる。
【符号の説明】
【００７４】
１  情報伝達システム
１０  情報アクセサリ
１１  アクセサリ側制御部
１２  アクセサリ側記憶部
１３  アクセサリ側操作部
１４  アクセサリ側表示部
１５  アクセサリ側通信部
３０  携帯端末
３１  端末側制御部
３２  端末側記憶部
３３  端末側操作部
３４  端末側表示部
３５  端末側通信部
３６  撮影部
１１１  入力受付部
１１２  アクセサリ側通信制御部
１１３  認証部
１２１  発信情報ＤＢ
１２２  認証ＤＢ
３１１  撮影制御部
３１２  端末側通信制御部
３１３  情報取得部
３１４  画像合成部
【図１】
2010257239.tif 000003
【図２】
2010257239.tif 000004
【図３】
2010257239.tif 000005
【図４】
2010257239.tif 000006
【図５】
2010257239.tif 000007
【図６】
2010257239.tif 000008
【図７】
2010257239.tif 000009
【図８】
2010257239.tif 000010
【図９】
2010257239.tif 000011